(57)【特許請求の範囲】
【請求項１】
接着剤塗布部を有する第１用紙片と、情報記入領域を有する第２用紙片とが折り線を介して連接され、かつ、第１用紙片および第２用紙片とは別紙の第３用紙により前記接着剤塗布部が被覆されている、隠蔽情報通信用紙であって、
接着剤塗布部面と情報記入領域面とが同一面にあり、
前記第１用紙片に刳り抜き加工された分離可能な刳り抜き区画が形成されており、
前記第３用紙が、前記接着剤塗布部を介して、前記第１用紙片の少なくとも刳り抜き加工区画以外の部分に対して剥離可能に接着されており、
前記第３用紙を第１用紙片から剥離したときに、前記刳り抜き加工区画が第３用紙とともに分離されて第１用紙片に刳り抜き窓部が形成されるとともに、第１用紙片の刳り抜き加工区画以外の接着剤塗布部が露出する、ことを特徴とする隠蔽情報通信用紙。
【請求項２】
第３用紙が、刳り抜き加工区画に対して、剥離不能にまたは刳り抜き加工区画以外の部分よりも強く、接着されている請求項１記載の隠蔽情報通信用紙。
【請求項３】
第３用紙に、刳り抜き加工区画が接着される範囲を分離可能にする易切り離し線を備える請求項１または２記載の隠蔽情報通信用紙。
【発明の詳細な説明】
【技術分野】
【０００１】
本発明は、親展情報等の隠蔽情報を他人に知られることなく郵送等の手段をもって伝達可能とする隠蔽情報通信用紙に関する。
【背景技術】
【０００２】
従来、金融機関の口座番号や親展情報等の他人に知られたくないあるいは知られてはいけない秘匿性のある情報を、隠蔽した状態で郵便手段等により特定人に伝達するためには、下記特許文献１〜４に開示されるような隠蔽式葉書等が用いられている。
【特許文献１】特開２００３−１６５２８６
【特許文献２】特開平１１−２７７９４６
【特許文献３】特開２０００−０１５９６３
【特許文献４】特開２００１−０８８４７２
【発明の開示】
【発明が解決しようとする課題】
【０００３】
しかし、従来のこの種の隠蔽式葉書等は、下記のような欠点がある。
例えば、［１］従来の多くの隠蔽式葉書（例えば、特許文献１、２など）は、宛名情報等の開示情報を記入する部分が表面（外面）、親展情報等の隠蔽情報を記入する部分が裏面（内面）という構成であり、用紙の表裏両面に可変情報を印字あるいは印刷しなければならなかった。このような両面への可変情報の印字操作は非常に煩雑であり効率的ではないばかりでなく、用紙の重送が発生すると、表裏のデータの整合性が無くなるトラブルも発生する。また、［２］隠蔽情報領域に別体の隠蔽ラベルを貼付して可変情報の隠蔽を図る隠蔽式葉書（例えば、特許文献２）もあるが、隠蔽ラベルの紛失や手間の煩雑さの問題がある。更に、［３］隠蔽ラベルを用いて用紙の一部領域の情報隠蔽する隠蔽式葉書（例えば、特許文献２）では、隠蔽ラベル付与領域がその他の部分よりも厚くなり紙面に段差が形成されることになる。葉書用途では、坪量のある厚みのある紙が用いられるため、紙面に段差があると印刷時に印刷機内での搬送トラブルや段差部分で印刷濃度が相違する印刷不良を起こしやすくなる。
【０００４】
更に、［４］第１用紙片と第２用紙片とを再剥離可能に接着する方法として、通常状態では接着せず圧着させることで再剥離可能に接着するいわゆる感圧接着剤を用いることがあるが、この種の感圧接着タイプの葉書は、煩雑な圧着処理等が必要となるとともに、圧着シーラー等の圧着機器も必要となるためコストが高くなる。特に、必要枚数が少ない場合にはコストが極めて高くなる。
【０００５】
一方、［５］従来の隠蔽式葉書は、親展情報等の隠蔽情報や送付内容の控えを簡易に得るための配慮がなされていない。近年の個人情報の取り扱いについての意識の高まりから控えの重要性は増すものとも考えられる。従って、隠蔽式葉書において控えを簡易に得ることができれば利便性がよりいっそう高まる。
【０００６】
そこで、本発明の主たる課題は、隠蔽情報と開示情報とを同一面に印字・印刷することを可能であり、しかも、印刷機での印刷性および使用時の利便性に優れる隠蔽情報通信用紙、隠蔽式葉書および隠蔽式伝票を提供することにある。
【課題を解決するための手段】
【０００７】
上記課題を解決した本発明は下記のとおりである。
＜請求項１記載の発明＞
接着剤塗布部を有する第１用紙片と、情報記入領域を有する第２用紙片とが折り線を介して連接され、かつ、第１用紙片および第２用紙片とは別紙の第３用紙により前記接着剤塗布部が被覆されている、隠蔽情報通信用紙であって、
接着剤塗布部面と情報記入領域面とが同一面にあり、
前記第１用紙片に刳り抜き加工された分離可能な刳り抜き加工区画が形成されており、
前記第３用紙が、前記接着剤塗布部を介して、前記第１用紙片の少なくとも刳り抜き加工区画以外の部分に対して剥離可能に接着されており、
前記第３用紙を第１用紙片から剥離したときに、前記刳り抜き加工区画が第３用紙とともに分離されて第１用紙片に刳り抜き窓部が形成されるとともに、第１用紙片の刳り抜き加工区画以外の接着剤塗布部が露出する、ことを特徴とする隠蔽情報通信用紙。
【０００８】
＜請求項２記載の発明＞
第３用紙が、刳り抜き加工区画に対して、剥離不能にまたは刳り抜き加工区画以外の部分よりも強く、接着されている請求項１記載の隠蔽情報通信用紙。
【０００９】
＜請求項３記載の発明＞
第３用紙に、刳り抜き加工区画が接着される範囲を分離可能にする易切り離し線を備える請求項１または２記載の隠蔽情報通信用紙。
【発明の効果】
【００１０】
本発明の情報隠蔽用紙は、前記第１用紙片に刳り抜き加工された分離可能な刳り抜き区画を有し、前記第３用紙を第１用紙片から剥離したときに、前記刳り抜き加工区画が第３用紙とともに分離され、第１用紙片に刳り抜き窓部が形成されて第１用紙片の接着剤塗布部が露出する。そして、情報記入領域を有する第２用紙片と折り線を介して連接されており、しかも接着剤塗布部面と情報記入領域面とが同一面である。従って、第１用紙片と第２用紙片とを折り線を介して折り返して重ね合わせた状態において、第１用紙片の刳り抜き加工区画と重なる第２用紙片の領域が、外方に露出した状態となる。このため、この露出する領域を開示情報記入領域として、刳り抜き加工区画以外の部位と重なる第２用紙片の領域を、隠蔽情報記入領域とすることができる。してみると、本発明の隠蔽情報通信用紙では、隠蔽情報記入欄と開示情報記入欄とを同一面に形成することができ、両面印刷の必要性がなくなる。また、刳り抜き窓部となる領域は、第１用紙片を刳り抜き加工した刳り抜き加工区画であるため、第３用紙を第１用紙片全体を覆うものとすれば、第１用紙片に段差のある領域が形成されることがない。
【００１１】
また、上記情報隠蔽用紙の第１および第２用紙片を葉書サイズとして、第１用紙片の少なくとも刳り抜き加工区画を除く範囲に、第２用紙片に対して再剥離可能に接着する粘着剤を塗布すれば、第１用紙片と第２用紙片とを折り線を介して折り返して重ね合わせたときに、第１用紙片の刳り抜き加工区画と重なる第２用紙片の領域が、宛名情報記入領域とされ、刳り抜き加工区画以外の部位と重なる第２用紙片の領域が、隠蔽情報記入領域とされている隠蔽式葉書となる。
【００１２】
そして、この場合に、第３用紙を、第２用紙片の情報記入領域に記入した内容の控えを記入するための控え書記入領域を有するものとすれば、第３用紙を剥離するだけで簡易に手元に残る控えを得ることができるため、極めて利便性に優れたものとなる。また、従来の隠蔽式葉書では破棄されていた第３用紙を利用しているので、資源を有効に活用できる。
【００１３】
そして、第３用紙に、第３用紙の刳り抜き加工区画が接着される範囲を分離可能にする易切り離し線を設ければ、刳り抜き加工区画が接着された厚みのある部分を切り離すことができる。特に、第３用紙を控え用紙として利用し、しかも、刳り抜き加工区画接着範囲以外の部位に控え書記入領域を設けた場合に、控えの収集や重ね集める際の取り扱いの利便性が高まる。更に、第３用紙にファイルへ保管する際の綴じ穴を形成されていると、より利便性が向上する。
【００１４】
一方、前記隠蔽情報通信用紙の接着剤塗布部を例えば、第１用紙片と第２用紙片とが連接されたもののうちの、第１用紙片側縁部に接着剤を塗布すれば、第３用紙を第１用紙片から剥離したのち折り線を介して第１用紙片および第２用紙片とを折り重ねたときに三周縁部が接着されて三方閉じ合わせの袋体となる。そして、この袋体における三周縁接着部分を切り離し可能にする易切り離し線を設ければ、容易に開封可能な隠蔽式伝票とすることができる。
【００１５】
そして、このように伝票として利用する場合にも、第３用紙を、第２用紙片の情報記入領域に記入した内容の控えを記入するための控え書記入領域を有するものとすれば、第３用紙を剥離するだけで簡易に手元に残る控えを得ることができるため、極めて利便性に優れたものとなる。
【００１６】
そして、第３用紙に、第３用紙の刳り抜き加工区画が接着される範囲を分離可能にする易切り離し線を設ければ、刳り抜き加工区画が接着された厚みのある部分を切り離すことができる。特に、第３用紙を控え用紙として利用し、しかも、刳り抜き加工区画接着範囲以外の部位に控え書記入領域を設けた場合に、控えの収集や重ね集める際の取り扱いの利便性が高まる。更に、第３用紙にファイルへ保管する際の綴じ穴を入れておくことで、より利便性が向上する。
【発明を実施するための最良の形態】
【００１７】
次いで、本発明の実施の形態について図面を参照しながら以下に詳述する。
（第１の実施の形態）
第１の形態は、本発明にかかる隠蔽情報通信用紙を用いた隠蔽式葉書Ｘ１の例である。以下、本形態について図１〜４を参照しながら説明する。図１は、本形態の隠蔽式葉書Ｘ１の裏面側（内面側ともいう。）を示す。図２は、本形態の隠蔽式葉書Ｘ１の表面側（外面側ともいう）を示す。図３は、本形態の隠蔽式葉書Ｘ１の使用説明図である。図４は、本形態にかかる隠蔽式葉書の情報隠蔽状態を示す図である。
【００１８】
本形態の隠蔽式葉書Ｘ１は、情報隠蔽前あるいは隠蔽情報印字・印刷時においては、図１および２に示されるように、接着剤塗布部１０を有する第１用紙片１と、情報記入領域２０を有する第２用紙片２とがミシン目により形成される折り線４を介して連接されており、前記接着剤塗布部１０が前記第１用紙片１および第２用紙片２とは別紙の第３用紙３によって被覆された状態とされている。ここで、本発明における折り線は必ずしもミシン目に限らず、印刷による線、折り筋などその線で折り返すことが視覚的、感覚的に認識できるものであればよい。
【００１９】
第１用紙片１の接着剤塗布部面１０Ｓと第２用紙片２の情報記入領域面２０Ｓとは同一面（裏面側）であり、前記折り線４を介してこれらの面が重ね合わせ可能とされている。また、第１用紙片１および第２用紙片２はともに葉書サイズに形成されており、前記重ね合せ状態においても一枚の葉書形状となるように構成されている。なお、図示例の隠蔽式葉書Ｘ１では設けられていないが、第１用紙片１および第２用紙片２の表面側に隠蔽性向上のためのいわゆる地紋印刷が施されていてもよい。
【００２０】
第１用紙片１の接着剤塗布部１０は、第１用紙片１の内面側全体に塗布されており、前記折り線４で折って、第１用紙片１の接着剤塗布部面１０Ｓと第２用紙片２の内面（情報記入領域を有する面）２０Ｓとを重ね合わせることにより、接着剤塗布部１０を介して第１用紙片１と第２用紙片２とが剥離可能に接着される。ここで、第１用紙片１と第２用紙片２とを剥離可能に接着するためには、第１用紙片１に塗布する接着剤１０の種類の選択、接着力の調整、あるいは第２用紙片２の情報処理記入領域形成面２０Ｓに対する離型処理により達成することができる。好適な接着剤としては自着性を有する粘着剤を用いる。より具体的には、溶剤系、水性エマルジョン系、ホットメルト系等の既知の粘着剤を用いることができる。これらの粘着剤を用いるのであれば、塗工量は４〜２０ｇ／ｍ2とするのが好適である。
【００２１】
接着剤の塗布方法としては、従来既知の接着剤の塗布方法を採ることができる。例えば、エアナイフコーター、ブレードコーター、ロッドメタリングコーター、カーテンコーター、ロールコーター等の従来各種塗工機、あるいは既知の印刷機による塗工によって塗布することができる。
【００２２】
第２用紙片２の情報記入領域形成面２０Ｓを離型処理するのであれば、シリコーン処理、離型剤塗布等、従来既知の離型処理を行うことが可能である。剥離剤等の塗布は、既知の塗工機による塗工、オフセット印刷、グラビア印刷、凸版印刷、凹版印刷など各種印刷による印刷塗工を採ることができる。
【００２３】
他方、前記第１用紙片１には、枡形に刳り抜き加工された分離可能な刳り抜き区画１１が形成されている。この刳り抜き加工区画１１は、葉書等において一般的に住所、氏名等を記載される位置に形成するのが望ましく、図示例の葉書では、第１用紙片１の上縁側に延在された位置に形成されている。なお、図示例の隠蔽式葉書では、刳り抜き加工区画１１の形状は枡形であるが、これに限らず、楕円形状、三角形状等、適宜の形状とすることができる。また、図示例の隠蔽式葉書では、刳り抜き加工区画１１が一箇所であるが、刳り抜き加工区画１１は必ずしも一箇所である必要はなく、必要に応じて複数箇所あってもよい。更に、刳り抜き加工区画１１が第１用紙片の上縁側に偏在させているが、この位置に必ずしも限定されるものではない。刳り抜き加工方法に関しては、従来既知の各種ラベル用紙などで行われる既知の方法を採ることができる。
【００２４】
他方、第２用紙片２の情報記入領域２０は、第１用紙片１と第２用紙片２とを折り線４を介して折り重ね合わせたときに、前記刳り抜き加工区画１１と重なる領域２０Ａに開示情報たる宛名情報の記入領域が形成され、刳り抜き加工区画１１以外の部位と重なる領域２０Ｂに隠蔽情報たる親展情報の記入領域が形成されている。このように開示情報領域２０Ａと隠蔽情報記入領域２０Ｂとが第２用紙片の同一面２０Ｓに形成されているため、個々の差出人枚毎に異なるいわゆる可変情報を印字・印刷するにあたって、両面印刷を行う必要はない。
【００２５】
他方、第３用紙３は、第１用紙片１の刳り抜き加工区画１１に対して剥離不能に接着されているとともに、第１用紙片１の他の接着剤塗布部１０には剥離可能に接着されている。第３用紙３を、刳り抜き加工区画１１に対して剥離不能に接着するとともに、他の接着剤塗布部１０に対して剥離可能に接着する方法としては、例えば、第１用紙片１に形成する接着剤塗布部１０のうち刳り抜き加工区画に形成する接着剤塗布部とその他の部分に形成する接着剤塗布部の接着力を異ならしめればよい。すなわち、刳り抜き加工区画１１に接着力の強い強接着剤を用い、その他の部位に接着力の弱い弱接着剤あるいは粘着剤を用いることにより達成できる。また、刳り抜き加工区画１１およびその他の接着剤を同様の接着剤としても、第３用紙３の刳り抜き加工区画に対応する部分以外３０Ｓの部分を離型処理してもよい。更に、第３用紙３の刳り抜き加工区画１１に対応する部分の離型性を低く、それ以外の部分の離型性を強くするように、離型性の程度を異ならしめてもよい。第３用紙３の第１用紙片１と対面させる面３０Ｓを離型処理するのであれば、シリコーン処理、離型剤塗布等、従来既知の離型処理を行うことが可能である。剥離剤等の塗布は、既知の塗工機による塗工、オフセット印刷、グラビア印刷、凸版印刷、凹版印刷など各種印刷による印刷塗工を採ることができる。なお、第１用紙片に塗布する接着剤種類を部分的に相違させる方法、および第３用紙の離型処理を部分的に相違させる方法の両方の方法を併用することも可能である。
【００２６】
他方、図示例の形態では、設けていないが第３用紙３は、第２用紙片２の情報記入領域２０に記入した情報の控えをとるための控え用紙とすることができる。この場合、第１用紙片１の接着剤塗布部１０と対面する面３０Ｓと反対面に控え書記入領域を形成すればよく、このようにすれば、第３用紙を第１用紙片から剥離する前において、第２用紙片２の情報記入領域形成面２０Ｓと第３用紙３の控え書記入領域形成面とが同一面となり、片面印刷で隠蔽情報と控え情報とを記入することができ印刷が容易となる。更に、第３用紙３には、必要に応じて、刳り抜き加工区画が接着される範囲を分離可能にする易切り離し線を設けたり、綴じ穴を入れることも可能である。
【００２７】
以上の本形態の隠蔽式葉書Ｘ１は、図３に示すように、第３用紙３を第１用紙片１から剥離すると、刳り抜き加工区画１１が第３用紙３とともに分離されて第１用紙片１に刳り抜き窓部１２が形成される。それとともに、第１用紙片１の接着剤塗布部１０が露出する。この露出状態において折り線４を介して第１用紙片１の接着剤塗布部面１０Ｓと、第２用紙２の情報記入領域形成面２０Ｓとが対面するように折り畳み重ね合わせることにより、第１用紙片１と第２用紙片２とが前記接着剤塗布部１０を介して剥離可能に接着される。
【００２８】
かくして、図４に示されるように、第１用紙片１と第２用紙片２とが剥離可能に接着された状態では、第１用紙片１に形成された刳り抜き加工窓１２を介して、第２用紙片２の内面の開示情報記入領域（宛名情報記入領域）２０Ａが露出され、葉書外面側から視認可能な状態となる。その一方で、隠蔽情報記入領域２０Ｂは、第１用紙片１の刳り抜き加工窓１２以外の部分により被覆された隠蔽状態  となる。
【００２９】
（第２の実施の形態）
第２の形態は、本発明にかかる隠蔽情報通信用紙を用いた隠蔽式伝票Ｘ２の例である。以下、本形態について図５〜８を参照しながら説明する。図５は、本形態の隠蔽式伝票Ｘ２の裏面側（内面側ともいう。）を示す。図６は、本形態の隠蔽式伝票の表面側（外面側ともいう）を示す。図７は、本形態の隠蔽式伝票Ｘ２の使用説明図である。図８は、本形態にかかる隠蔽式伝票Ｘ２の情報隠蔽状態を示す図である。なお、図示例の隠蔽式伝票Ｘ２は、隠蔽情報が給与明細である、いわゆる給与明細伝票である。
【００３０】
本形態の隠蔽式伝票Ｘ２は、情報隠蔽前あるいは隠蔽情報印字・印刷時においては、図５および６に示されるように、接着剤塗布部５０を有する第１用紙片５と、情報記入領域６０を有する第２用紙片６とがミシン目で構成される折り線８を介して連接されており、前記接着剤塗布部５０が前記第１用紙片５および第２用紙片６とは別紙の第３用紙７によって被覆された状態とされている。なお、本形態においても折り線は、第１の実施の形態と同様にミシン目に限られない。
【００３１】
第１用紙片５の接着剤塗布部面５０Ｓと第２用紙片６の情報記入領域面６０Ｓとは同一面（裏面側）であり、前記折り線８で折ってこれらの面が重ね合わせ可能とされている。また、第１用紙片５の接着剤非塗布部５１、第１用紙片５および第２用紙片６の表面側には隠蔽性向上のためのいわゆる地紋印刷Ｍが施されている。
【００３２】
第１用紙片５の接着剤塗布部５０は、第１用紙片５と第２用紙片６とで構成される伝票本体部のうちの第１用紙片側縁部５０Ｅ、および後述の刳り抜き加工区画を含む所定範囲５２に塗布されている。従って、第３用紙７がない状態で、前記折り線８で折って第１用紙片５の接着剤塗布部側面５０Ｓと第２用紙片６の内面（情報記入領域を有する面）６０Ｓとを重ね合わせた状態にすると、接着剤塗布部５０を介して第１用紙片５と第２用紙片６とが接着されて三方閉じ合わせの袋体となる。
【００３３】
接着剤としては自着性を有する粘着剤を用いることができる。より具体的には、溶剤系、水性エマルジョン系、ホットメルト系等の粘着剤を用いる。これらの粘着剤を用いるのであれば、塗工量は４〜２０ｇ／ｍ2とするのが好適である。ここで、本形態の隠蔽式伝票では、後述するが、袋体としたのちに接着部等を切り離して開封を行うように構成される。従って、上述の第１の実施の形態とは異なり、第１用紙片と第２用紙片とを剥離可能に接着する必要はなく剥離不能に接着されていてもよい。接着剤の塗布方法としては、従来既知の接着剤の塗布方法を採ることができる。例えば、エアナイフコーター、ブレードコーター、ロッドメタリングコーター、カーテンコーター、ロールコーター等の従来各種塗工機、あるいは既知の印刷機による塗工によって塗布することができる。
【００３４】
他方、前記第１用紙片５には、枡形に刳り抜き加工された分離可能な刳り抜き区画５３が形成されている。刳り抜き加工区画５３は、図示例では、伝票右側に偏在されて形成されているが、この位置に限定されるわけではない。適宜の位置に形成することができる。また、図示例の隠蔽式伝票Ｘ２では、刳り抜き加工区画５３の形状は枡形であるが、これに限らず、楕円形状、三角形状等、適宜の形状とすることができる。また、図示例の隠蔽式伝票Ｘ２では、刳り抜き加工区画５３が一箇所であるが、刳り抜き加工区画５３は必ずしも一箇所である必要はなく、必要に応じて複数箇所あってもよい。刳り抜き加工方法に関しては、従来既知の各種ラベル用紙などで行われる既知の方法を採ることができる。
【００３５】
また、第１用紙片５には、前記接着縁部５０Ｅおよび前記刳り抜き加工区画を含む所定範囲５２を切り離し可能にするミシン目Ｓ１〜Ｓ４がそれぞれ形成されている。
【００３６】
他方、第２用紙片６の情報記入領域６０は、第１用紙片５と第２用紙片６とを折り線８を介して折り畳み重ね合わせたときに、前記刳り抜き加工区画５３と重なる領域６０Ａに開示情報たる受取人情報の記入領域が形成され、刳り抜き加工区画を含むミシン目で区切られた所定範囲以外の部分と重なる領域６０Ｂに隠蔽情報たる給与明細情報の記入領域が形成されている。開示情報領域６０Ａと隠蔽情報記入領域６０Ｂとが第２用紙片６の同一面に形成されているため、個々の受取人毎に異なるいわゆる可変情報を印字・印刷するにあたって、両面印刷を行う必要がない。
【００３７】
また、第２用紙片６には、前記折り線８で折って第１用紙片５と重ね合わせられたときに、第１用紙片５に形成されたミシン目Ｓ１〜Ｓ４と重なる位置に、同様にミシン目Ｓ５〜Ｓ８が形成されている。従って、袋体とされたときに第１用紙片５および第２用紙片６のそれぞれに形成されたミシン目Ｓ１〜Ｓ４，Ｓ５〜Ｓ８が接合されて一体となり、接着部分を切り離し可能にするミシン目ＳＳ１〜ＳＳ４が形成される。
【００３８】
他方、第３用紙７は、第１用紙片５の刳り抜き加工区画５３に対して剥離不能に接着されているとともに、第１用紙片５の他の接着剤塗布部には剥離可能に接着されている。第３用紙７を、刳り抜き加工区画５３に対して剥離不能に接着するとともに、他の接着剤塗布部に対して剥離可能に接着する方法としては、例えば、第１用紙片５に形成する接着剤塗布部のうち刳り抜き加工区画５３に形成する接着剤塗布部とその他の部分に形成する接着剤塗布部の接着力を異ならしめればよい。すなわち、刳り抜き加工区画に接着力の強い強接着剤を用い、その他の部位に接着力の弱い弱接着剤あるいは粘着剤を用いることにより達成できる。また、刳り抜き加工区画５３およびその他の接着剤を同様の接着剤としても、第３用紙７の刳り抜き加工区画５３に対応する部分以外の部分を離型処理してもよい。更に、第３用紙７の刳り抜き加工区画５３に対応する部分の離型性を低く、それ以外の部分の離型性を強くするように、離型性の程度を異ならしめてもよい。第３用紙７の第１用紙片５と対面させる面を離型処理するのであれば、シリコーン処理、離型剤塗布等、従来既知の離型処理を行うことが可能である。剥離剤等の塗布は、既知の塗工機による塗工、オフセット印刷、グラビア印刷、凸版印刷、凹版印刷など各種印刷による印刷塗工を採ることができる。なお、第１用紙片５に塗布する接着剤種類を部分的に相違させる方法、および第３用紙７の離型処理を部分的に相違させる方法の両方の方法を併用することも可能である。
【００３９】
他方、この第３用紙７は、前記刳り抜き加工区画５３が接着された部分を含むミシン目Ｐ１で分割された所定範囲７０Ａを除く部分７０Ｂに、第２情報記入領域６０に記入した内容と同様の情報、あるいは第２用紙片６の情報記入領域６０に記入した情報のうちの所定の必要な情報を記入するための、控え書記入領域７１が形成された、控え用紙（単に、控えとも呼ばれる。）となっている。このため折り線８で折り畳む前においては、当該控え書記入領域７１と、情報記入領域６０が同一面であり、両領域に同時に印刷することが可能となっている。当該控え書記入領域７１と、情報記入領域６０に必要情報を記入したのちには、第１用紙片５の接着剤塗布部１０を露出させるべく第３用紙７を第１用紙片５から剥離すると、第２用紙片６の情報記入領域６０に記入した内容の控え書７がただちに得られる。
【００４０】
更に、図示例の隠蔽式伝票Ｘ２では、前記第３用紙７の刳り抜き加工区画５３が接着される所定範囲７０を簡易に分離可能にするミシン目Ｐ１が設けられており、第３用紙７を第１用紙片５から剥離したのち、刳り抜き加工区画５３が接着されている厚みのある部分を切り離すことが可能とされている。刳り抜き加工区画５３の含む所定範囲７０Ａを切り離せば、控え用紙の厚さが薄くなるので、複数枚を重ねる際の厚みを抑えることができ、取り扱い性が向上する。また、必要に応じて、綴じ穴を設けることにより容易にファイルへ綴じることができる。
【００４１】
以上の本形態の隠蔽式伝票Ｘ２は、図７に示すように、第３用紙７を第１用紙片５から剥離すると、刳り抜き加工区画５３が第３用紙７とともに分離されて第１用紙片５に刳り抜き窓部５４が形成される。それとともに、第１用紙片５の接着剤塗布部５０が露出する。この露出状態において折り線８を介して第１用紙片の接着剤塗布部面５０Ｓと、第２用紙６の情報記入領域形成面６０Ｓとが対面するように折り畳んで重ね合わせることにより、第１用紙片５と第２用紙片６とが前記接着剤塗布部５０を介して接着されて、三方閉じ合わせの袋体Ｘ２’となる。
【００４２】
かくして、図８に示されるように、第１用紙片５と第２用紙片６とが接着された状態では、第１用紙片５に形成された刳り抜き加工窓５４を介して、第２用紙片６の内面の開示情報記入領域（宛名情報記入領域）６０Ａが露出され、伝票外面側から視認可能な状態となる。その一方で、隠蔽情報記入領域６０Ｂは、第１用紙片５の刳り抜き加工区画以外の部分により被覆された隠蔽状態となる。
【００４３】
この図８に示される袋体の状態において、第１用紙片５および第２用紙片６に形成されたミシン目Ｓ１〜Ｓ４，Ｓ５〜Ｓ８の接合による接合ミシン目ＳＳ１〜ＳＳ４で接着部分を切り離すと袋体Ｘ２’が開封されて隠蔽された隠蔽情報（給与明細）が外部から視認可能となる。
【００４４】
ここで、各ミシン目は、従来既知の方法により形成すればよい、また、本発明においては、必ずしもミシン目に限らず、該当部分を容易に切り離し可能にする易切り離し線であればよい。このような易切り離し線は、線状に乾燥紙力の弱い部位を形成すればよい。
【００４５】
（その他）
なお、上記２形態では、第３用紙が、第１用紙片の刳り抜き加工区画に対して剥離不能に接着されている形態であるが、第３用紙は刳り抜き加工区画に対して必ずしも剥離不能にする必要はなく剥離可能であってもよい。この場合においては、刳り抜き加工区画に対する接着力を刳り抜き加工区画以外の部分よりも強くするようにすることができる。このようにする場合も、第１用紙片に形成する接着剤塗布部のうち刳り抜き加工区画に形成する接着剤塗布部を形成するための接着剤と、その他の部分を形成するための接着剤の接着力を異ならしめればよい。
【００４６】
さらには、本発明において、第３用紙は、必ずしも刳り抜き加工区画に対して剥離不能に接着されていたり、強固に接着されていたりする必要はない。第３用紙が刳り抜き加工区画以外の部分と同様の接着力をもって剥離可能に接着されていてもよい。この場合には、刳り抜き加工区画とその他の部位に塗布する接着剤は同様のものを使用することができる。また、第３用紙の刳り抜き加工区画に対応する部分のみ離型処理を施さない処理をする必要もない。
【００４７】
第３用紙における、刳り抜き加工区画とその他の部分とに対する接着力が同等であっても、刳り抜き加工区画は第１用紙片の他の部位から分離可能とされているため、通常は第３用紙を剥離するさいに第３用紙がわに接着された状態で移り、第１用紙片の他の部分から分離される。
【産業上の利用可能性】
【００４８】
本発明は、隠蔽情報を他人に知られることなく伝達するために用いられる、隠蔽式葉書、隠蔽式封筒、隠蔽式伝票などに用いることができる。
【図面の簡単な説明】
【００４９】
【図１】本発明にかかる隠蔽式葉書の裏面側（内面）からの斜視図である。
【図２】本発明にかかる隠蔽式葉書の表面側（非隠蔽面側）からの斜視図である。
【図３】本発明にかかる隠蔽式葉書の使用説明図である。
【図４】本発明にかかる隠蔽式葉書の情報隠蔽状態の斜視図である。
【図５】本発明にかかる隠蔽式伝票の裏面側からの斜視図である。
【図６】本発明にかかる隠蔽式伝票の表面側からの斜視図である。
【図７】本発明にかかる隠蔽式伝票の使用説明図である。
【図８】本発明にかかる隠蔽式葉書の情報隠蔽状態の斜視図である。
【符号の説明】
【００５０】
１，５…第１用紙片、２，６…第２用紙片、３，７…第３用紙、４，８…折り線、１０，５０…接着剤塗布部、１０Ｓ，５０Ｓ…接着剤塗布部面、１１，５３…刳り抜き加工区画、２０，６０…情報記入領域、２０Ａ，６０Ａ…開示情報記入領域、２０Ｂ，６０Ｂ…隠蔽情報記入領域、２０Ｓ，６０Ｓ…情報記入領域形成面、５０Ｅ…第１用紙片側縁部、５１…接着剤非塗布部分、７１Ａ…控え書記入領域、７２…綴じ穴、Ｓ１〜Ｓ８，Ｐ１…ミシン目、ＳＳ１〜ＳＳ４…ミシン目、Ｘ１…隠蔽式葉書、Ｘ２，Ｘ２’…隠蔽式伝票。
【図１】
0004521332.tif 000002
【図２】
0004521332.tif 000003
【図３】
0004521332.tif 000004
【図４】
0004521332.tif 000005
【図５】
0004521332.tif 000006
【図６】
0004521332.tif 000007
【図７】
0004521332.tif 000008
【図８】
0004521332.tif 000009